(57)【要約】【課題】光源の光量ピーク位置を原稿面の画像読取位置に容易に合致させることができるようにする。【解決手段】原稿面からの反射光を所定方向に反射させる反射ミラー２６が取り付けられた走行体１１２に、光源１４０及び反射部材１４２の取り付けられた保持部材１３８が走行体１１２の走行方向における取付位置を調節し得るように取り付けられて構成され、この保持部材１３８の走行体１１２の走行方向における取付位置を調節することで光源１４０の光量ピーク位置を原稿面の画像読取位置に合致させるようにした照明部２４を備える。【選択図】図２
2008205843.tif 000002
【特許請求の範囲】
【請求項１】
原稿面からの反射光を原稿画像として撮像素子の受光面に結像させるようにした画像読取装置であって、前記原稿面に沿って走行可能に構成された走行体と、この走行体に当該走行体に対して位置調節可能に取り付けられた保持部材と、この保持部材に取り付けられ、前記原稿面に向けて光を照射する光源と、前記保持部材を前記走行体に対して位置調節することで前記光源の光量ピーク位置を前記原稿面の画像読取位置に合致させる位置調節手段とを含む照明部を備えたことを特徴とする画像読取装置。
【請求項２】
前記位置調節手段は、前記保持部材の前記走行体の走行方向における取付位置を調節することで前記光源の光量ピーク位置を前記原稿面の画像読取位置に合致させるものであることを特徴とする請求項１記載の画像読取装置。
【請求項３】
前記位置調節手段は、前記保持部材の前記走行体に対する取付角度を調節することで前記光源の光量ピーク位置を前記原稿面の画像読取位置に合致させるものであることを特徴とする請求項１記載の画像読取装置。
【請求項４】
前記光源は、前記走行体の走行方向と直交する主走査方向に沿って配列された複数の発光ダイオードにより構成されたものであることを特徴とする請求項１乃至３のいずれかに記載の画像読取装置。
【請求項５】
原稿面からの反射光を原稿画像として撮像素子の受光面に結像させると共に、前記撮像素子により得た画像データに基づいて感光体ドラムに静電潜像の書き込みを行う画像形成装置であって、請求項１乃至４のいずれかに記載の画像読取装置を備えたことを特徴とする画像形成装置。
【発明の詳細な説明】
【技術分野】
【０００１】
本発明は、原稿面からの反射光を原稿画像として撮像素子の受光面に結像させるようにした画像読取装置、及び、この画像読取装置を備えた複写機、ファクシミリ装置、それらの機能を併せ持つ複合機などの画像形成装置に関する。
【背景技術】
【０００２】
近年、静電潜像が形成された感光体ドラムの表面にトナー像を形成し、このトナー像を記録紙に転写するようにした画像形成部を有する複写機やプリンタなどの画像形成装置が汎用されている。このような画像形成装置では、照明部を構成する光源（露光光源）から原稿面に光を照射することで得た反射光を原稿画像として結像レンズによりＣＣＤ（ＣｈａｒｇｅＣｏｕｐｌｅｄ Ｄｅｖｉｃｅ）などのラインセンサとしての撮像素子（光電変換素子）の受光面に結像させるようにした画像読取装置を備えている。
【０００３】
このような構成になる画像形成装置に備わる画像読取装置では、原稿面に光を照射する光源として一般的にはキセノンランプなどの棒状光源が用いられている。このような棒状光源であるキセノンランプを用いた照明部では、原稿読取時における光源と原稿面との相対的な移動方向であるキセノンランプの副走査方向の照度分布（副走査方向断面配光）が図７に示すような平坦なピーク特性を有しているため、照度の最大値を示す光量ピーク位置が原稿面の画像読取位置から多少ずれても大幅な光量低下が生じることがないことから画像読取位置に対する照明部の取り付け位置の許容範囲が広くなることで画像読取装置の組み立てが比較的容易となる反面、実際に必要な画像読取幅は０．５ｍｍ程度でよいことから照明効率の悪いものとなる。
【０００４】
このため、照明効率を向上させるべく、ライン状に配列された複数の発光ダイオードを光源として用いる一方、集光レンズなどを含む長尺状の集光体により集光させることで照明部を構成することが提案されている（例えば、特許文献１）。この発光ダイオードを光源として用いた照明部では、発光ダイオードの副走査方向の照度分布が図８に示すような先鋭なピーク特性を有していることから、照明効率に優れたものとなって電力消費を効果的に抑制することできる。
【特許文献１】特開２００５−１０２１１２号公報
【発明の開示】
【発明が解決しようとする課題】
【０００５】
しかしながら、発光ダイオードのように照度分布が先鋭なピーク特性を有するものを照明部の光源として用いた場合には、照明効率に優れたものになるとはいうものの、光量ピーク位置が原稿面の画像読取位置から少しずれただけでも光量低下により画像品質が劣化する虞が生じると共に、画像読取位置に対する照明部の取付位置の許容範囲が狭くなることで画像読取装置の組み立てに精度が要求されることになる結果、組み立てが煩雑になってしまうという問題がある。
【０００６】
本発明は、このような事情に鑑みてなされたもので、照度分布が先鋭なピーク特性を有するものを光源として用いた場合でも、光源の光量ピーク位置を原稿面の画像読取位置に容易に合致させることのできる画像読取装置及び画像形成装置を提供することを目的とする。
【課題を解決するための手段】
【０００７】
上記目的を達成するため、請求項１の発明は、原稿面からの反射光を原稿画像として撮像素子の受光面に結像させるようにした画像読取装置であって、前記原稿面に沿って走行可能に構成された走行体と、この走行体に当該走行体に対して位置調節可能に取り付けられた保持部材と、この保持部材に取り付けられ、前記原稿面に向けて光を照射する光源と、前記保持部材を前記走行体に対して位置調節することで前記光源の光量ピーク位置を前記原稿面の画像読取位置に合致させる位置調節手段とを含む照明部を備えたことを特徴としている。
【０００８】
請求項２の発明は、請求項１に係るものにおいて、前記位置調節手段が、前記保持部材の前記走行体の走行方向における取付位置を調節することで前記光源の光量ピーク位置を前記原稿面の画像読取位置に合致させるものであることを特徴としている。
【０００９】
請求項３の発明は、請求項１に係るものにおいて、前記位置調節手段が、前記保持部材の前記走行体に対する取付角度を調節することで前記光源の光量ピーク位置を前記原稿面の画像読取位置に合致させるものであることを特徴としている。
【００１０】
請求項４の発明は、請求項１乃至３のいずれかに係るものにおいて、前記光源が、前記走行体の走行方向と直交する主走査方向に沿って配列された複数の発光ダイオードにより構成されたものであることを特徴としている。
【００１１】
請求項５の発明は、原稿面からの反射光を原稿画像として撮像素子の受光面に結像させると共に、前記撮像素子により得た画像データに基づいて感光体ドラムに静電潜像の書き込みを行う画像形成装置であって、請求項１乃至４のいずれかに記載の画像読取装置を備えたことを特徴としている。
【発明の効果】
【００１２】
請求項１の発明によれば、保持部材を走行体に対して位置調節可能にしているため、照度分布が先鋭なピーク特性を有するものを光源として用いた場合でも、光源の光量ピーク位置を原稿面の画像読取位置に容易に合致させることのできる画像読取装置となる。
【００１３】
請求項２の発明によれば、保持部材の走行体の走行方向における取付位置を調節するようにしているため、照度分布が先鋭なピーク特性を有するものを光源として用いた場合でも、保持部材の走行体の走行方向における取付位置を調節することで光源の光量ピーク位置を原稿面の画像読取位置に容易に合致させることのできる画像読取装置となる。
【００１４】
請求項３の発明によれば、保持部材の走行体に対する取付角度を調節するようにしているため、照度分布が先鋭なピーク特性を有するものを光源として用いた場合でも、保持部材の走行体に対する取付角度を調節することで光源の光量ピーク位置を原稿面の画像読取位置に容易に合致させることのできる画像読取装置となる。
【００１５】
請求項４の発明によれば、光源が走行体の走行方向と直交する主走査方向に沿って配列された複数の発光ダイオードにより構成されたものであるため、照度分布が先鋭なピーク特性を有することで照明効率に優れたものとなり、電力消費を効果的に抑制することできる。
【００１６】
請求項５の発明によれば、保持部材を走行体に対して位置調節可能にしているため、照度分布が先鋭なピーク特性を有するものを光源として用いた場合でも、光源の光量ピーク位置を原稿面の画像読取位置に容易に合致させることのできる画像形成装置となる。
【発明を実施するための最良の形態】
【００１７】
図１は、本発明の一実施形態に係る画像読取装置が適用される画像形成装置の概略構成を説明するための内部構成図である。この図において、画像形成装置１０は、光を電気信号に変換する撮像素子により取り込んだ原稿画像に基づいて記録紙に対し画像を形成するようにした複写機を構成するものであり、原稿画像を読み取る画像読取部１２と、画像読取部１２の上方に位置する原稿載置部１４と、画像読取部１２の下方に位置する画像形成部１６とを備えている。
【００１８】
画像読取部１２は、画像読取装置を構成するもので、第１光学系１８と、第２光学系２０と、画像取込部２２とを備えている。第１光学系１８は、原稿面に光を照射して原稿画像を読み取るためのものであり、ライン状に配列された複数の発光ダイオードからなる光源（露光光源）を含む照明部２４と、照明部２４により照射されることで得られた原稿面からの反射光を水平方向に向けることにより第２光学系２０に導く反射ミラー２６とを一体に備えている。なお、照明部２４の具体的構成例については後述する。
【００１９】
第２光学系２０は、第１光学系１８の図中左方に配設され、第１光学系１８により得た原稿面からの反射光を画像取込部２２に導くものであり、第１光学系１８の反射ミラー２６で反射された原稿面からの反射光を画像取込部２２に導くための第１反射ミラー２８及び第２反射ミラー３０を備えている。これら第１反射ミラー２８及び第２反射ミラー３０は、第１光学系１８の反射ミラー２６で反射された原稿面からの反射光を第１反射ミラー２８で受光して第２反射ミラー３０に導くと共に、第２反射ミラー３０で反射された原稿面からの反射光を水平方向に向けることで画像取込部２２に導くように構成されている。
【００２０】
画像取込部２２は、第２光学系２０の図中右方に配設され、光を電気信号に変換することで反射光からなる原稿画像を読み込むＣＣＤ（ＣｈａｒｇｅＣｏｕｐｌｅｄ Ｄｅｖｉｃｅ）からなるラインセンサとしての撮像素子３４が搭載された回路基板３６と、回路基板３６よりも第２光学系２０側に配設され、第２光学系２０により導かれた反射光からなる原稿画像を撮像素子３４の受光面に結像させる結像レンズ３８とを備えたものである。なお、撮像素子３４で読み取られた原稿画像は所定の信号処理が施された後にデジタル信号に変換され、図略の記憶素子に記憶されるようになっている。
【００２１】
また、画像読取部１２の上部には、第１光学系１８及び第２光学系２０を原稿載置部１４における図中左端位置と図中右端位置間方向において走行ガイドする一対のガイドレール４０（図中では一方のみ図示）が幅方向（図１の紙面を貫く方向）両端に配設されており、第１光学系１８及び第２光学系２０がガイドレール４０に係合され、図略の駆動モータによりガイドレール４０に沿って往復動するように構成されている。ここで、第１光学系１８及び第２光学系２０がガイドレール４０に沿って走行する方向を副走査方向といい、第１光学系１８及び第２光学系２０の走行方向と直行する方向を主走査方向という。
【００２２】
原稿載置部１４は、画像読取部１２の上部に装着されたコンタクトガラス４２と、このコンタクトガラス４２上面において開閉する原稿押え部４４と、この原稿押え部４４の上方に配設された自動原稿給送部４６とを備えている。ここで、コンタクトガラス４２は、自動原稿給送部４６により搬送される原稿が通過する第１コンタクトガラス４８及び静止原稿が載置される第２コンタクトガラス５０とから構成されている。なお、原稿押え部４４は、その上面が自動原稿給送部４６に載置される原稿束の排出部を構成している。
【００２３】
自動原稿給送部４６は、所定位置に載置された原稿束を１枚ずつ順に第１コンタクトガラス４８上に自動給送する一方、読み取りの終了した原稿を順に原稿押え部４４上面の排出部に戻すようにしたものである。
【００２４】
画像形成部１６は、レーザスキャナユニット５２と、像形成部５４と、定着部５６と、用紙搬送部５８とから構成されている。レーザスキャナユニット５２は、上記の図略の記憶素子から読み出された撮像素子３４で読み取った原稿画像を後述する感光体ドラム７０に露光するためのものであり、その読み出された画像データに基づいて生成された変調信号をレーザビームに変換して出力するレーザ発光部６０と、このレーザ発光部６０から出力されるレーザビームを後述する感光体ドラム７０に向けて反射するための回転多面体であるポリゴンミラー６２と、ポリゴンミラー６２により主走査方向に偏向走査された光を等速運動に変換するためのｆθレンズ６４と、ポリゴンミラー６２により反射され、ｆθレンズ６４を透過したレーザビームを感光体ドラム７０の露光位置に導く反射ミラー６６とを備えている。
【００２５】
ここで、ポリゴンミラー６２は、図略のポリゴンモータにより所定方向に一定速度で回転駆動され、レーザ発光部６０から出力されるレーザビームを反射するミラー面の角度が順次変化することにより、レーザビームを感光体ドラム７０の幅方向に走査させるように構成されている。すなわち、ポリゴンミラー６２は、レーザ発光部６０から出力されるレーザビームを偏光して感光体ドラム７０に照射することで静電潜像の書き込みを行うようにしたものである。
【００２６】
像形成部５４は、定速回転される感光体ドラム７０を備えると共に、この感光体ドラム７０の周面に沿って帯電器７２と、現像部７４と、クリーニング部７６と、光照射部７８とを順に備えている。感光体ドラム７０は、図略の駆動モータにより図示の時計方向（矢印方向）に回転駆動されるものであり、帯電器７２と対向する位置で静電領域が形成され、この静電領域にレーザスキャナユニット５２から原稿画像に基づいて出力されるレーザビームが照射されることで静電潜像が形成され、現像部７４と対向する位置で静電潜像がトナー像に現像される。感光体ドラム７０の下方には転写ローラ８２が配設されており、トナー像が形成された感光体ドラム７０は、その転写ローラ８２と対向する位置で記録紙にトナー像を転写する。記録紙にトナー像を転写し終えた感光体ドラム７０は、クリーニング部７６と対向する位置で表面に残留しているトナーが除去され、光照射部７８で感光体ドラム７０表面に残留している電荷が除去される。
【００２７】
帯電器７２は、例えば、感光体ドラム７０の幅方向の長さを有する帯電ワイヤ８４を備えたものであり、帯電ワイヤ８４に図略の高圧電源から高圧を印加して感光体ドラム７０に電荷を付与することで感光体ドラム７０の表面に静電領域を形成する。現像部７４は、例えば、トナーとキャリアとからなる２成分系の現像剤を使用するものであり、内部に現像剤が装填される現像本体部８６と、感光体ドラム７０に近接した状態で現像本体部８６に内装された現像ローラ８８と、現像本体部８６の上部に装着されたトナーカートリッジ９０とを備えたものである。
【００２８】
現像本体部８６は、図略の攪拌ローラなどを内部に備えており、現像剤を攪拌することでキャリアとトナーとが摩擦され、これによりトナーが帯電されるようにしたものである。現像ローラ８８は、図略の駆動電源から駆動電圧が供給されることで表面が帯電した状態とされるもので、この現像ローラ８８の表面に静電的に付着されたトナーを感光体ドラム７０の表面に付着させるものである。トナーカートリッジ９０は、現像本体部８６内に補給するトナーが充填されたものである。
【００２９】
光照射部７８は、除電部を構成するもので、発光ダイオードなどの半導体発光素子を含んで構成された半導体発光素子列の各発光面を感光体ドラム７０の表面に向けると共に、感光体ドラム７０の軸心方向に沿って配設されたものである。
【００３０】
定着部５６は、像形成部５４でトナー像が転写された記録紙を加熱することにより定着処理を行うものであり、熱遮蔽ボックス９４内の上部に配設され、内蔵されたヒータにより加熱される定着ローラ９６と、熱遮蔽ボックス９４内の下部に配設され、定着ローラ９６に圧接される加圧ローラ９８とを備えたものである。
【００３１】
用紙搬送部５８は、記録紙を矢印Ａで示す経路に沿って搬送するものであり、所定サイズの記録紙が集積された状態で収納される給紙カセットＰＣを装填するカセット装填部１０２と、このカセット装填部１０２に装填された給紙カセットＰＣ内から図略の給紙ローラにより引き出された記録紙を感光体ドラム７０に導く上流側搬送路１０４と、感光体ドラム７０でトナー像が転写された記録紙を定着部５６の定着ローラ９６及び加圧ローラ９８間を経由させて図中左方に取り付けられた排出トレー１０６に導く下流側搬送路１０８とを備えている。
【００３２】
図２は、上述した照明部２４の具体的構成例を説明するための側面図であり、図３は、その上面図である。なお、図２及び図３は、いずれも一部を切り欠いて示している。この照明部２４は、第１光学系１８がガイドレール４０に沿って往復動することで原稿面に沿って走行する枠状の走行体１１２と、この走行体１１２に搭載された光源部１１４とを備えている。
【００３３】
走行体１１２は、金属材料や樹脂材料などの硬質材料で構成されたもので、図４に示すように、主走査方向に伸び、コンタクトガラス４２上の原稿の幅寸法（図１の紙面を貫く方向）よりも長い幅寸法（主走査方向寸法）を有する平板部１１６と、平板部１１６の主走査方向の両端において下方に折り曲げられた側壁部１１８、１２０と、各側壁部１１８、１２０の下端において外方に伸びるように折り曲げられた鍔部１２２、１２４とから形成されたものである。
【００３４】
この走行体１１２の平板部１１６には、副走査方向の略中央部に原稿面からの反射光を下方に導くための主走査方向に伸びるスリット１２６が形成されると共に、一方の側壁部１１８側に光源部１１４をねじ止めするための副走査方向に対となるねじ孔１２８、１３０と、他方の側壁部１２０側に光源部１１４をねじ止めするための副走査方向に対となるねじ孔１３２、１３４とが形成されている。なお、走行体１１２の平板部１１６の下方には、スリット１２６を介して導かれた原稿面からの反射光を第２光学系２０に導くための上述した反射ミラー２６が側壁部１１８、１２０を利用するなどして取り付けられている。
【００３５】
光源部１１４は、走行体１１２の平板部１１６に対し走行体１１２の走行方向である副走査方向への位置調節可能に取り付けられた保持部材１３８と、この保持部材１３８に取り付けられた光源（露光光源）１４０と、この光源１４０からの散乱光を反射して原稿面に導く反射部材１４２とを備えたものである。
【００３６】
保持部材１３８は、金属材料や樹脂材料などの硬質材料で構成されたもので、図５に示すように、主走査方向に伸び、コンタクトガラス４２上の原稿の幅寸法（図１の奥行き方向）よりも長い幅寸法（主走査方向寸法）を有し、光源１４０を取り付けるための斜面部１４４が走行体１１２の平板部１１６面から鋭角で立ち上がるように屈曲形成されたものである。
【００３７】
この保持部材１３８には、斜面部１４４よりも第２光学系２０寄りの位置に原稿面からの反射光を下方に導くための主走査方向に伸びるスリット１４６が形成されると共に、主走査方向の一方の端部側において走行体１１２にねじ止めするための副走査方向に対となる貫通孔１４８、１５０と、主走査方向の他方の端部側において走行体１１２にねじ止めするための副走査方向に対となる貫通孔１５２、１５４とが形成されている。
【００３８】
このスリット１４６は、走行体１１２の平板部１１６に形成されたスリット１２６と対応する位置に形成される一方、そのスリット１２６よりも副走査方向である幅寸法が大きい形状を有している。また、一方の端部側の貫通孔１４８、１５０及び他方の端部側の貫通孔１５２、１５４は、走行体１１２の平板部１１６に形成された一方の側壁部１１８側に形成されたねじ孔１２８、１３０及び他方の側壁部１２０側に形成されたねじ孔１３２、１３４と対応する位置に形成される一方、それぞれ副走査方向に伸びる長孔形状を有するものである。
【００３９】
光源１４０は、走行体１１２の走行方向と直交する方向である主走査方向の長さがコンタクトガラス４２上の原稿の幅寸法（図１の奥行き方向）よりも長い寸法を有するもので、主走査方向に沿って配設された長尺状の取付基板１５８に所定ピッチでライン状に配列されて搭載された複数の発光ダイオード１６０と、この発光ダイオード１６０から出力される光を収斂させるもので取付基板１５８に固定された集光レンズ１６２とを備えたもので、発光ダイオード１６０の搭載された取付基板１５８が保持部材１３８の斜面部１４４に取り付けられたものである。
【００４０】
反射部材１４２は、主走査方向の長さが光源１４０と略同じ寸法に形成されたもので、スリット１４６よりも第２光学系２０側の位置に配設され、保持部材１３８の一部を切り起こすなどして形成された第２光学系２０側に傾斜する支持体１６６に固定されたものである。
【００４１】
このように構成された照明部２４は、保持部材１３８に形成された一方の端部側の貫通孔１４８、１５０及び他方の端部側の貫通孔１５２、１５４を走行体１１２に形成された一方の側壁部１１８側のねじ孔１２８、１３０及び他方の側壁部１２０側のねじ孔１３２、１３４の位置にそれぞれ合致させた後に頭部を有するねじ部材１７０を貫通孔１４８、１５０及び貫通孔１５２、１５４を介してねじ孔１２８、１３０及びねじ孔１３２、１３４に螺合させて締め付けることにより光源部１１４が走行体１１２に取り付けられる。これにより、原稿面からの反射光は保持部材１３８のスリット１４６と走行体１１２のスリット１２６とを通過して走行体１１２に取り付けられた反射ミラー２６に導かれることになる。
【００４２】
ここで、保持部材１３８に形成された貫通孔１４８、１５０及び貫通孔１５２、１５４、走行体１１２に形成されたねじ孔１２８、１３０及びねじ孔１３２、１３４並びにねじ部材１７０は、照明部２４における保持部材１３８の走行体１１２の走行方向における取付位置を調節することで保持部材１３８を走行体１１２に対して位置調節する位置調節手段としての機能を果たすことになる。
【００４３】
この光源部１１４の走行体１１２への取り付けにあたっては、ねじ部材１７０の締め付けを行う前に、原稿面の画像読取位置に配設した照度計などにより照度を計測しつつ光源部１１４の保持部材１３８を走行体１１２の走行方向（副走査方向）にスライド移動させて光源１４０を構成する発光ダイオード１６０の光量ピーク位置が原稿面の画像読取位置に合致するように保持部材１３８の取付位置を調節し、この取付位置を調節した後にねじ部材１７０の締め付けを行うようにする。このため、保持部材１３８に形成された貫通孔１４８、１５０及び貫通孔１５２、１５４は、位置調節するのに必要な移動量を確保することができる大きさの長孔形状とされている。
【００４４】
このように光源部１１４の保持部材１３８を走行体１１２の走行方向に対して位置調節しても、保持部材１３８のスリット１４６の副走査方向の幅寸法が走行体１１２のスリット１２６よりも大きい寸法に設定されているため、原稿面からの反射光の保持部材１３８のスリット１４６と走行体１１２のスリット１２６との通過に支障が生じることはない。
【００４５】
上記のように構成された画像形成装置１０は、次のように動作する。すなわち、原稿束を自動原稿給送部４６に載置する一方、図略の操作盤で画像形成部数を設定すると共に、画像形成濃度、画像形成倍率などを設定した後に図略のスタートボタンをオン操作することで原稿が第１コンタクトガラス４８上に順次搬送され、第１コンタクトガラス４８上を通過する。このとき、第１コンタクトガラス４８に対応する位置に停止している照明部２４を構成する光源１４０により原稿面に光が照射されることで得られた原稿面からの反射光が第１光学系１８の反射ミラー２６と、第２光学系２０の第１反射ミラー２８及び第２反射ミラー３０とを介して撮像素子３４に導かれることで原稿画像が読み取られ、図略の記憶素子に記憶される。第１コンタクトガラス４８上を通過した原稿は原稿押え部４４上面の排出部に排出される。
【００４６】
原稿が書籍等のように綴じられたものである場合などには、原稿押え部４４を開けてその原稿を第２コンタクトガラス５０上に載置する一方、図略の操作盤で画像形成部数を設定すると共に、画像形成濃度、画像形成倍率などを設定した後に図略のスタートボタンをオン操作することで照明部２４が移動して原稿面を走査し、照明部２４の光源１４０から原稿面に光が照射されることで得られた原稿面からの反射光が第１光学系１８の反射ミラー２６と、第２光学系２０の第１反射ミラー２８及び第２反射ミラー３０とを介して撮像素子３４に導かれて読み取られ、図略の記憶素子に記憶される。
【００４７】
一方、帯電器７２により感光体ドラム７０の表面が帯電され、図略の記憶素子に記憶された原稿画像に応じたレーザビームが発射されてポリゴンミラー６２により偏光されて照射されることで感光体ドラム７０の表面が露光されることにより静電潜像が形成される。次いで、現像部７４から感光体ドラム７０に供給されるトナーが静電潜像に付着することで感光体ドラム７０の表面にトナー像が形成される。
【００４８】
そして、給紙カセットＰＣに収納された記録紙が、図略の給紙ローラによって上流側搬送路１０４を介してレジストローラ対側に給紙されると共に、上記静電潜像の形成と同期してレジストローラ対により感光体ドラム７０と転写ローラ８２との間に搬送される。この感光体ドラム７０と転写ローラ８２との間に搬送された記録紙は、静電潜像の極性とは逆極性の電圧が印加された転写ローラ８２により感光体ドラム７０のトナー像が転写され、その後に感光体ドラム７０から分離されて下流側搬送路１０８を介して定着部５６に搬送され、定着処理が行われた後に排出トレー１０６に排出される。
【００４９】
トナー像を転写し終えた感光体ドラム７０は、クリーニング部７６で表面に残留しているトナーが除去される一方、光照射部７８で感光体ドラム７０の表面に残留している電荷が除去される。そして、これらの動作が順次繰り返されることで所定枚数の記録紙に対する画像形成が実行される。
【００５０】
本発明の画像読取装置が適用される画像形成装置１０では、上記実施形態で説明したように、光源１４０を構成する発光ダイオード１６０の光量ピーク位置が原稿面の画像読取位置に合致するように光源部１１４の保持部材１３８が走行体１１２に対して位置調節されるため、光源１４０を構成する発光ダイオード１６０の照度分布が先鋭なピーク特性を有していても位置ずれなどによる光量低下により画像品質が劣化する虞がない。
【００５１】
また、光源部１１４の保持部材１３８を走行体１１２の走行方向に対して位置調節することができるように構成されているため、照度分布が先鋭なピーク特性を有するものを光源として用いた場合でも、光源１４０の光量ピーク位置を原稿面の画像読取位置に容易に合致させることができ、画像読取位置に対する光源部１１４の取り付け位置の許容範囲が狭くなってしまうことで画像読取部（画像読取装置）の組み立てに精度が要求されることになって組み立てが煩雑になるという不都合も生じない。
【００５２】
なお、本発明に係る画像読取装置が適用される画像形成装置１０は、上記実施形態のものに限定されるものではなく、例えば、以下に述べるような種々の変形態様を必要に応じて採用することができる。
【００５３】
（１）上記実施形態では、光源部１１４は、保持部材１３８を走行体１１２に当接した状態でねじ部材１７０により直接、ねじ止めするようにしたものであるが、これに限るものではない。例えば、図６に示すように、各ねじ部材１７０における走行体１１２と保持部材１３８との間に圧縮コイルばね１７２を介在させるようにすることもできる。
【００５４】
こうした場合、図示左側である第２光学系２０に近い側のねじ部材１７０の締め付け量よりも図示右側である第２光学系２０に遠い側のねじ部材１７０の締め付け量を多くして保持部材１３８の第２光学系２０に遠い側が第２光学系２０に近い側よりも走行体１１２に近づくようにすると光源１４０の走行体１１２に対する傾斜角度が小さくなり、それに伴って光源１４０の光量ピーク位置が図示右側の位置に移動することになる。
【００５５】
また、図示右側である第２光学系２０に遠い側のねじ部材１７０の締め付け量よりも図示左側である第２光学系２０に近い側のねじ部材１７０の締め付け量を多くして保持部材１３８の第２光学系２０に近い側が第２光学系２０に遠い側よりも走行体１１２に近づくようにすると光源１４０の走行体１１２に対する傾斜角度が大きくなり、それに伴って光源１４０の光量ピーク位置が図示左側の位置に移動することになる。
【００５６】
このように、各ねじ部材１７０における走行体１１２と保持部材１３８との間に圧縮コイルばね１７２を介在させるようにすることにより、保持部材１３８の走行体１１２に対する取付角度を調節（チルト調節）することができるようになり、これにより光源１４０の光量ピーク位置を移動させて原稿面の画像読取位置に合致させることができるようになる。この結果、照度分布が先鋭なピーク特性を有するものを光源１４０として用いた場合でも、光源１４０の光量ピーク位置を原稿面の画像読取位置に容易に合致させることができ、画像読取位置に対する光源部１１４の取り付け位置の許容範囲が狭くなってしまうことで画像読取部（画像読取装置）の組み立てに精度が要求されることになって組み立てが煩雑になるという不都合も生じることがない。
【００５７】
このように、各ねじ部材１７０における走行体１１２と保持部材１３８との間に圧縮コイルばね１７２を介在させる場合では、ねじ部材１７０を挿通させる貫通孔１４８、１５０及び貫通孔１５２、１５４を長孔形状としないで円形状としてもよい。但し、長孔形状とした場合は、保持部材１３８の走行体１１２の走行方向における取付位置を調節することと、保持部材１３８の走行体１１２に対する取付角度を調節することとの両方の位置調節が可能となることで光量ピーク位置の調節範囲を効果的に拡大することができる。
【００５８】
この場合、保持部材１３８に形成された貫通孔１４８、１５０及び貫通孔１５２、１５４、走行体１１２に形成されたねじ孔１２８、１３０及びねじ孔１３２、１３４、ねじ部材１７０並びに圧縮コイルばね１７２は、照明部２４における保持部材１３８の走行体１１２に対する取付角度を調節することで保持部材１３８を走行体１１２に対して位置調節する位置調節手段としての機能を果たすことになる。
【００５９】
なお、上記のようにチルト調節を行うにあたり、走行体１１２と保持部材１３８との間に圧縮コイルばね１７２を介在させているが、圧縮方向の力に対して反発力の生じるもの（圧縮反発部材）であれば圧縮コイルばねに限らず如何なる構造・形状のものでもよい。また、図２に示すような保持部材１３８の走行体１１２の走行方向における取付位置を調節する構成や、図６に示すような保持部材１３８の走行体１１２に対する取付角度を調節する構成は、いずれも保持部材１３８を走行体１１２に対して位置調節する構成の一態様であって、図２及び図６に示す構成のものに限定されるものではない。
【００６０】
（２）上記実施形態では、光源部１１４が光源１４０と反射部材１４２とを備えたものであるが、これに限るものではない。例えば、光源１４０からの散乱光が少ないような場合では、反射部材１４２は必ずしも必要としない。
【００６１】
（３）上記実施形態では、光源１４０が複数の発光ダイオード１６０を用いたものであるが、これに限るものではない。例えば、従来のキセノンランプであっても、凹面鏡などの集光体を用いることで照度分布が先鋭なピーク特性を有する光源を構成することが可能であることから、本発明の構成を適用することができる。
【００６２】
（４）上記実施形態では、画像取込部２２が撮像素子３４としてＣＣＤを用いたＣＣＤ方式により構成されたものであるが、これに限るものではない。例えば、ＣＣＤに代えてＣ-ＭＯＳセンサを用いたＣＩＳ（Ｃｏｎｔａｃｔ Ｉｍａｇｅ Ｓｅｎｓｏｒ）方式により構成することも可能である。この場合、反射ミラー２６、２８、３０は不要になると共に、Ｃ-ＭＯＳセンサが走行体１１２の反射ミラー２６の位置に設置されることになる。
【００６３】
（５）上記実施形態では、本発明の画像読取装置が適用される画像形成装置１０は感光体ドラム７０を１つしか備えていないモノクロ複写機を構成するものであるが、これに限るものではない。例えば、複数の感光体ドラムを備えたカラー複写機としたり、１つの感光体ドラムを備えたカラー複写機としたりすることも可能である。また、複写機に限らず、ファクシミリ装置やそれらの機能を併せ持つ複合機などを構成するものであってもよい。
【図面の簡単な説明】
【００６４】
【図１】本発明の一実施形態に係る画像読取装置が適用された画像形成装置の概略構成を説明するための内部構成図である。
【図２】図１に示す画像形成装置に適用された画像読取装置の具体的構成例を説明するための一部を切り欠いて示す側面図である。
【図３】図２に示す画像読取装置の一部を切り欠いて示す平面図である。
【図４】図２に示す画像読取装置の照明部を構成する走行枠体の斜視図である。
【図５】図２に示す画像読取装置の照明部を構成する保持部材の斜視図である。
【図６】図２に示す画像読取装置の別の構成例を示す側面図である。
【図７】キセノンランプの副走査方向の照度分布を示す図である。
【図８】発光ダイオードの副走査方向の照度分布を示す図である。
【符号の説明】
【００６５】
１０  画像形成装置
１２  画像読取部（画像読取装置）
２２  画像取込部
２６  反射ミラー
３４  撮像素子
７０  感光体ドラム
１１２  走行体
１３８  保持部材
１４０  光源
１６０  発光ダイオード
【図１】
2008205843.tif 000003
【図２】
2008205843.tif 000004
【図３】
2008205843.tif 000005
【図４】
2008205843.tif 000006
【図５】
2008205843.tif 000007
【図６】
2008205843.tif 000008
【図７】
2008205843.tif 000009
【図８】
2008205843.tif 000010